【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
基板上に、少なくとも断熱層、感熱層およびシリコーンゴム層をこの順に有する直描型水なし平版印刷版原版であって、該感熱層が少なくとも（Ａ）光熱変換物質、（Ｂ）金属含有有機化合物、（Ｃ）ノボラック樹脂および（Ｄ）ポリウレタン樹脂を含有し、かつ（Ｃ）ノボラック樹脂が重量平均分子量の異なる２種類のノボラック樹脂を含有し、ノボラック樹脂のＧＰＣ法による分子量分布が、一方は５百以上５千以下に、他方は１万以上５万以下に極大を有することを特徴とする直描型水なし平版印刷版原版。
【請求項２】
前記感熱層における（Ｃ）ノボラック樹脂と（Ｄ）ポリウレタン樹脂の重量比（ノボラック樹脂／ポリウレタン樹脂）が７以上５０以下であることを特徴とする請求項１記載の直描型水なし平版印刷版原版。
【請求項３】
前記感熱層が、少なくとも（Ａ）光熱変換物質、（Ｂ）金属含有有機化合物、（Ｃ）ノボラック樹脂、（Ｄ）ポリウレタン樹脂および（Ｅ）２−メチル−２−プロパノール、１−ブタノール、イソブタノールおよび２−ブタノールからなる群より選ばれる少なくとも一種の溶剤を含む感熱層溶液から形成されてなることを特徴とする請求項１または２記載の直描型水なし平版印刷版原版。
【請求項４】
前記シリコーンゴム層が、水酸基含有ポリシロキサンおよび／またはビニル基含有ポリシロキサンを含有し、これらポリシロキサンのＧＰＣ法による分子量分布が、１万以上５万以下および４０万以上の各々に極大を有することを特徴とする請求項１〜３のいずれか記載の直描型水なし平版印刷版原版。
【手続補正２】
【補正対象書類名】明細書
【補正対象項目名】発明の名称
【補正方法】変更
【補正の内容】
【発明の名称】直描型水なし平版印刷版原版
【手続補正３】
【補正対象書類名】明細書
【補正対象項目名】００３３
【補正方法】変更
【補正の内容】
【００３３】
前述している通り、レーザー照射される部分、露光部、すなわち画線部において、光熱変換物質から熱が発生し、その熱によりノボラック樹脂と金属含有有機化合物から形成される架橋部が切断される。またこのとき露光部で発生した熱が未露光部へと拡散していく。ノボラック樹脂の分子量が低いほど、架橋切断後、ノボラック樹脂がフリーな分子となり、前処理液に溶解しやすく、シリコーンゴム層が剥離されやすくなり、ドットサイズ２０μｍ以下の微小網点を再現しやすくなる。それと同時に、ノボラック樹脂の分子量が低いほど、画線部と非画線部の境界部分の非画線部で、熱拡散の影響を受けてノボラック樹脂と金属含有有機化合物の架橋切断が起こり、フリーな分子となるため、前処理液に対する溶解性が高まり、ハガレが生じやすくなる。逆に、ノボラック樹脂の分子量が高くなると、架橋切断後、ノボラック樹脂がフリーな分子となりにくくなるため、熱拡散の影響を受けにくく、画線部と非画線部の境界部分の非画線部でハガレが生じないが、画線部で現像不良になりやすくなる。
【手続補正４】
【補正対象書類名】明細書
【補正対象項目名】００３４
【補正方法】変更
【補正の内容】
【００３４】
ノボラック樹脂を２種類用いたときに、低分子量成分である５百以上５千以下のものがレーザー照射部による架橋切断によって前処理液に対する溶解性を高め、ドットサイズ２０μｍ以下の微小網点の再現に有効であるが、５百未満に極大を有するものを含む場合、画線部と非画線部の境界部分の画線部が熱拡散の影響を受けて、前処理液に対して溶解しやすくなってしまい、持ちこたえきれずに、残るべき非画線部のシリコーンゴム層が剥離してしまい、微小網点再現性は、ドット一つが大きくなり、さらにはドットゲインが印刷物で目立つようになり印刷ムラが発生する。一方、ノボラック樹脂の高分子量成分において、１万以上５万以下に極大を有するものが、露光部すなわち画線部の現像不良に悪影響を及ぼさない程度で、画線部と非画線部の境界部分の非画線部で熱拡散の影響を受け架橋切断しても、フリーな分子になりにくく、ハガレの発生の抑制に有効である。しかし、分子量が５万を超えて極大を有するものを含む場合、露光部すなわち画線部までも前処理液に対して溶解しにくくなるため、剥離されるべきシリコーンゴム層が残るため、微小網点再現性は現像不良で不十分となり、印刷適性においては、現像不良が原因の印刷ムラが発生する。ゆえに、５百以上５千以下、他方は１万以上５万以下に極大を有するノボラック樹脂を併用することで、ハガレと現像不良を生じない程度にバランスをとることが可能となり、高精細対応の印刷版として機能を果たす。また、１種類のノボラック樹脂を単独で使用する場合、ハガレもしくは現像不良を抑制できないために微小網点再現性と印刷ムラのバランスをとることが出来るような分子量の領域がなく、使用することは難しい。
【手続補正５】
【補正対象書類名】明細書
【補正対象項目名】０１５３
【補正方法】変更
【補正の内容】
【０１５３】
＜感熱層溶液６の組成＞
（ａ）赤外線吸収染料：“ＰＲＯＪＥＴ”８２５ＬＤＩ（（株）Ａｖｅｃｉａ製）：２０重量部
（ｂ）チタンジ−ｎ−ブトキサイドビス（２，４−ペンタンジオネート）：ナーセム（登録商標）チタン（日本化学産業（株）製、チタン濃度約８．８％、ｎ−ブタノール溶液）：９重量部
（ｃ）フェノールノボラック樹脂：スミライトレジン（登録商標）ＰＲ５３１９５（住友ベークライト（株）製、Ｍｗ：３０００）：２５重量部
（ｄ）フェノールノボラック樹脂：スミライトレジン（登録商標）ＰＲ５０７３１（住友ベークライト（株）製、Ｍｗ：１３０００）：６５重量部
（ｅ）ポリウレタン：サンプレン（登録商標）ＬＱ−Ｔ１３３１Ｄ（三洋化成工業（株）製、濃度２０％、Ｎ，Ｎ−ジメチルホルムアミド／２−エトキシエタノール溶液）：２５重量部（ポリウレタン：５重量部）
（ｆ）３−グリシドキシプロピルトリメトキシシラン：１５重量部
（ｇ）（希釈溶剤）テトラヒドロフラン：７４４重量部
（ｈ）（希釈溶剤）２−メチル−２−プロパノール：２９０重量部。
【手続補正６】
【補正対象書類名】明細書
【補正対象項目名】０１６０
【補正方法】変更
【補正の内容】
【０１６０】
＜感熱層溶液１３の組成＞
（ａ）赤外線吸収染料：“ＰＲＯＪＥＴ”８２５ＬＤＩ（（株）Ａｖｅｃｉａ製）：２２重量部
（ｂ）チタンジ−ｎ−ブトキサイドビス（２，４−ペンタンジオネート）：ナーセム（登録商標）チタン（日本化学産業（株）製、チタン濃度約８．８％、ｎ−ブタノール溶液）：１０重量部
（ｃ）フェノールノボラック樹脂：（Ｍｗ：４００）：２５重量部
（ｄ）フェノールノボラック樹脂：（Ｍｗ：７００００）：６５重量部
（ｅ）ポリウレタン：サンプレン（登録商標）ＬＱ−Ｔ１３３１Ｄ（三洋化成工業（株）製、濃度２０％、Ｎ，Ｎ−ジメチルホルムアミド／２−エトキシエタノール溶液）：２５重量部（ポリウレタン：５重量部）
（ｆ）３−グリシドキシプロピルトリメトキシシラン：１８重量部
（ｇ）（希釈溶剤）テトラヒドロフラン：９９７重量部
（ｈ）（希釈溶剤）２−メチル−２−プロパノール：４２７重量部。
【手続補正７】
【補正対象書類名】明細書
【補正対象項目名】０１６３
【補正方法】変更
【補正の内容】
【０１６３】
＜感熱層溶液１６の組成＞
（ａ）赤外線吸収染料：“ＰＲＯＪＥＴ”８２５ＬＤＩ（（株）Ａｖｅｃｉａ製）：２０重量部
（ｂ）チタンジ−ｎ−ブトキサイドビス（２，４−ペンタンジオネート）：ナーセム（登録商標）チタン（日本化学産業（株）製、チタン濃度約８．８％、ｎ−ブタノール溶液）：１０重量部
（ｃ）フェノールノボラック樹脂：スミライトレジン（登録商標）ＰＲ５３１９５（住友ベークライト（株）製、Ｍｗ：３０００）：９０重量部
（ｄ）ポリウレタン：サンプレン（登録商標）ＬＱ−Ｔ１３３１Ｄ（三洋化成工業（株）製、濃度２０％、Ｎ，Ｎ−ジメチルホルムアミド／２−エトキシエタノール溶液）：２５重量部（ポリウレタン：５重量部）
（ｅ）３−グリシドキシプロピルトリメトキシシラン：１５重量部
（ｆ）（希釈溶剤）テトラヒドロフラン：９９７重量部
（ｇ）（希釈溶剤）２−メチル−２−プロパノール：４２７重量部。
【手続補正８】
【補正対象書類名】明細書
【補正対象項目名】０１６４
【補正方法】変更
【補正の内容】
【０１６４】
＜感熱層溶液１７の組成＞
（ａ）赤外線吸収染料：“ＰＲＯＪＥＴ”８２５ＬＤＩ（（株）Ａｖｅｃｉａ製）：２０重量部
（ｂ）チタンジ−ｎ−ブトキサイドビス（２，４−ペンタンジオネート）：ナーセム（登録商標）チタン（日本化学産業（株）製、チタン濃度約８．８％、ｎ−ブタノール溶液）：９重量部
（ｃ）フェノールノボラック樹脂：スミライトレジン（登録商標）ＰＲ５０７３１（住友ベークライト（株）製、Ｍｗ：１３０００）：９０重量部
（ｄ）ポリウレタン：サンプレン（登録商標）ＬＱ−Ｔ１３３１Ｄ（三洋化成工業（株）製、濃度２０％、Ｎ，Ｎ−ジメチルホルムアミド／２−エトキシエタノール溶液）：２５重量部（ポリウレタン：５重量部）
（ｅ）３−グリシドキシプロピルトリメトキシシラン：１７重量部
（ｆ）（希釈溶剤）テトラヒドロフラン：９９７重量部
（ｇ）（希釈溶剤）２−メチル−２−プロパノール：４２７重量部。
【手続補正９】
【補正対象書類名】明細書
【補正対象項目名】０１８２
【補正方法】変更
【補正の内容】
【０１８２】
【表３】
2009014946.tif 000001